(57)【要約】【目的】目視するだけで容易に紫外線量を判断できる、紫外線変色性樹脂成形体を提供すること。【構成】請求項１記載の紫外線変色性樹脂成形体は、熱可塑性樹脂に可逆性の紫外線変色性物質を混入して成形した。請求項２記載の紫外線変色性樹脂成形体は、請求項１記載の発明において、紫外線変色性物質としてフォトクロミック染料を用いて構成した請求項３記載の紫外線変色性樹脂成形体は、請求項２記載の発明において、フォトクロミック染料を重量比で０．０１％〜０．５％混入して構成した。請求項４記載の紫外線変色性樹脂成形体は、請求項１乃至３いずれかに記載の紫外線変色性樹脂成形体を用いてボタン、線ファスナーのスライダー、ネックレスパーツ、ブレスレットパーツなどの被服や履物、アクセサリー等の身体装着物構成体を成形した。【選択図】なし【特許請求の範囲】
【請求項１】
熱可塑性樹脂に可逆性の紫外線変色性物質を混入して成形したことを特徴とする紫外線変色性樹脂成形体。
【請求項２】
紫外線変色性物質がフォトクロミック染料である請求項１記載の紫外線変色性樹脂成形体。
【請求項３】
請求項２記載の紫外線変色樹脂成形体であって、前記フォトクロミック染料が重量比で０．０１％〜０．５％混入されてなることを特徴とする紫外線変色性樹脂成形体。
【請求項４】
請求項１乃至３いずれかに記載の紫外線変色性樹脂成形体を用いて成形したボタン、線ファスナーのスライダー、ネックレスパーツ、ブレスレットパーツなどの被服や履物、アクセサリー等の身体装着物構成体。 
【発明の詳細な説明】
【技術分野】
【０００１】
本発明は、自然太陽光中に含まれる紫外線又は人工放電によリ発生する紫外線の強度を確認するために使用する紫外線変色性樹脂成形体に関する。
【背景技術】
【０００２】
従来より、紫外線の照射により色変化する玩具として、フォトクロミック材料を混入した樹脂を用いて成形した玩具が開示されている（例えば特許文献１参照）。
【０００３】
また、フォトクロミックインキを使用した図柄を有する変色性衣服が開示されている（例えば特許文献２参照）。
【先行技術文献】
【特許文献】
【０００４】
【特許文献１】実開平６−５７３９８号公報
【特許文献２】特開２００６−２２４５８公報
【発明の概要】
【発明が解決しようとする課題】
【０００５】
紫外線が肌の老化やトラブルを引き起こすことは広く知られている。具体的には、直射日光を長時間浴びると、紫外線が表皮を通って真皮まで達する。この真皮には皮膚に弾力や張りを与えるコラーゲン、エラスチンという線維があり、紫外線がそれを破壊し、しわの原因となる。また、表皮が破れるとメラトニン色素が表皮に沈着し、しみやそばかすの原因となる。
【０００６】
上記のように肌トラブルの原因である紫外線の量は、晴天時に最大となるが、雨天時でも晴天時の約２０％〜５５％、曇天時で約８０％〜９５％にも達している。かように天気により紫外線量を判断することは適切とはいえず、より明瞭な紫外線量の判断材料が望まれる。
【０００７】
そこで、本発明は目視するだけで容易に紫外線量を判断できる、紫外線変色性樹脂成形体を提供することを目的とする。
【課題を解決するための手段】
【０００８】
上記の目的を達成する本考案の構成は次の通りである。
【０００９】
（１）  請求項１記載の紫外線変色性樹脂成形体は、熱可塑性樹脂に可逆性の紫外線変色性物質を混入して成形した。
【００１０】
（２）  請求項２記載の紫外線変色性樹脂成形体は、請求項１記載の発明において、紫外線変色性物質としてフォトクロミック染料を用いて構成した。
【００１１】
（３）  請求項３記載の紫外線変色性樹脂成形体は、請求項２記載の発明において、フォトクロミック染料を重量比で０．０１％〜０．５％混入して構成した。
【００１２】
（４）  請求項４記載の紫外線変色性樹脂成形体は、請求項１乃至３いずれかに記載の紫外線変色性樹脂成形体を用いてボタン、線ファスナーのスライダー、ネックレスパーツ、ブレスレットパーツなどの被服や履物、アクセサリー等の身体装着物構成体を成形した。 
【発明の効果】
【００１３】
フォトクロミック染料は、紫外線を受けると色変化を発現する。例えば、フォトクロミックとしてアゾベンゼンを用いれば無色から橙色に変色し、ジアリールエテンを用いれば無色から赤色に変色し、ビラジカルを用いれば無色から紫色に変色する。更にはフォトクロミックの色変化は可逆的であり、紫外線を受けなくなると無色に戻る性質を有する。  また、色の濃度は通常、紫外線強度が大きいほど濃くなるという性質を有する。
【００１４】
かようにフォトクロミック染料を用いれば、色の変化の確認によって紫外線の強度を、目視で判断することが可能である。
【００１５】
係る性質を有するフォトクロミック染料を含有する樹脂成形体においても、上述の色変化が生じることから、本発明に係る紫外線変色性樹脂成形体、殊に紫外線変色性物質としてフォトクロミック染料を用いた樹脂成形体によれば、容易に紫外線量を判断することが可能となるのである。
【００１６】
更には係る紫外線変色性樹脂成形体を用いて、ボタン、線ファスナーのスライダー、ネックレスパーツ、ブレスレットパーツなどの被服や履物、アクセサリー等の身体装着物構成体を成形すれば、ことさら紫外線変色性樹脂成形体を持ち歩かなくとも、身体に装着しているこれら樹脂成形体の変色を目視するだけで、容易に紫外線量を判断することが可能となるのである。
【発明を実施するための形態】
【００１７】
以下、本発明の好ましい実施の形態を、具体的に説明する。
【００１８】
請求項１記載の紫外線変色性樹脂成形体は、熱可塑性樹脂に可逆性の紫外線変色性物質を混入して成形してある。
【００１９】
熱可塑性樹脂としては、ポリエチレン樹脂、ポリプロピレン樹脂、エチレン−プロピレン共重合体樹脂、エチレン−酢酸ビニル共重合体樹脂、ポリブテン樹脂、ポリウレタン系樹脂、ポリスチレン樹脂、アクリル樹脂などが利用可能である。これらの熱可塑性樹脂は、その溶融温度が、フォトクロミック染料の耐熱温度よりも低いからである。
【００２０】
可逆性の紫外線変色性物質としては、フォトクロミック染料や、一定強度以上の紫外線励起によって蛍光を生じる蛍光顔料もしくは蛍光染料等が使用可能である。
【００２１】
本発明の樹脂成形体の成形方法は特に限定されるものではない。但し、樹脂成形体は、各成分を溶融混練することにより製造されることが好ましい。かかる溶融混練の具体的方法としては、バンバリーミキサー、混練ロール、押出機などが使用可能であり、中でも混練効率の点から押出機が好ましい。かかる押出成形により各種異形押出成形品を得ることが可能となる。
【００２２】
請求項２記載の紫外線変色性樹脂成形体は、請求項１記載の発明において、紫外線変色性物質としてフォトクロミック染料を用いて構成してある。フォトクロミック染料としては、一定強度以上の紫外線を受けることにより、発色するものと、変色を生じるものとがあるが、可逆性を有していればいずれも使用可能である。具体的にはスピロピラン系材料、スピロオキサジン系材料、アゾベンゼン系材料等の有機フォトクロミック材料をマイクロカプセル化したものを利用することが好ましいが、限定を受けるものではなく、上述の可逆性を有するものであれば、いずれも使用可能である。
【００２３】
請求項３記載の紫外線変色性樹脂成形体は、請求項２記載の発明において、フォトクロミック染料を重量比で０．０１％〜０．５％混入して構成してある。
【００２４】
かかる配合量に限定されるのは、配合量が０．０１％よりも少ないと、色調の変化が視認しにくく、０．５％より多く配合してもそれ以上の効果が望めないためである。
【００２５】
請求項４記載の紫外線変色性樹脂成形体は、請求項１乃至３いずれかに記載の紫外線変色性樹脂成形体を用いてボタン、線ファスナーのスライダー、ネックレスパーツ、ブレスレットパーツなどの被服や履物、アクセサリー等の身体装着物構成体を成形した。
【００２６】
上述の押出成形により得た各種異形押出成形品、殊にペレットを射出成形して、上記各種身体装着物構成体を成形するものである。
【００２７】
かかる射出成形においては、適宜目的に応じて、射出圧縮成形、射出プレス成形、ガスアシスト射出成形、、インサート成形、インモールドコーティング成形、断熱金型成形、急速加熱冷却金型成形、二色成形、サンドイッチ成形などの各種射出成形法を用いて成形品を得ることができる。また成形はコールドランナー方式およびホットランナー方式のいずれも選択することができる。